(57)【特許請求の範囲】
【請求項１】
サンルームまたはテラスの屋根上に設置され、スクリーンの一端部を取付けると共にスクリーンの他端側を巻取り繰り出し可能に巻いたロール、および前記ロールと同軸に前記ロールの両端に設けられ、前記ロールと一体に回転するワイヤ巻取りプーリを有するスクリーンユニットと、
前記屋根上の左右のガイドレールに沿って移動可能に装着されかつ前記スクリーンの前記他端側を結合するスライドボトムと、
前記ワイヤ巻取りプーリと前記スライドボトムとの間で前記スクリーンと巻取り繰り出し方向が逆となるように掛け回されるワイヤとを備えた日除け装置に用いられるスクリーンユニットにおいて、
前記スクリーンを巻く前記ロールを、ロール本体と、このロール本体の外周の一部に着脱可能に取付けるスクリーン取付け用アタッチメントとに分割し、
前記スライドボトムを前記ガイドレールに沿って前側に移動させて前記スライドボトムが最前端の位置にある時に前記スクリーンの前記一端部が露出した状態となり、かつ前記スクリーン取付け用アタッチメントが前記ロール本体の上面に位置するように構成した
ことを特徴とするスクリーンユニット。
【請求項２】
請求項１に記載のスクリーンユニットにおいて、
前記スクリーンの前記一端部が露出した状態で、前記スクリーンに覆われない領域で前記スクリーン取付け用アタッチメントを前記ロール本体に固着部材により固着する構造を有する
ことを特徴とするスクリーンユニット。
【請求項３】
請求項１または２に記載のスクリーンユニットにおいて、
前記ロール本体に嵌合片をさらに備え、前記スクリーン取付け用アタッチメントのスクリーン巻取り繰り出し方向の一端側を前記嵌合片に嵌合し、他端側を固着部材により前記ロール本体に固着する構造を有する
ことを特徴とするスクリーンユニット。
【請求項４】
請求項１から３までのいずれか1項に記載のスクリーンユニットにおいて、
前記スクリーンの前記一端部に端部材が取付けられており、前記スクリーン取付け用アタッチメントに、前記端部材が抜け出ることを防止する抜け止め片をさらに備える
ことを特徴とするスクリーンユニット。
【請求項５】
請求項４に記載のスクリーンユニットにおいて、
前記抜け止め片の外面は前記ロール本体の外周で描く円弧面の延長上にあり、前記スクリーンを案内する案内部を形成する
ことを特徴とするスクリーンユニット。
【発明の詳細な説明】
【技術分野】
【０００１】
本発明は、サンルームやテラスの屋根上に設ける日除け用スクリーンユニットに係り、特にそのスクリーンを巻くロールの構造に関する。
【背景技術】
【０００２】
サンルームやテラスは、屋根上採光用の透明の屋根板を設けて構成される。このようなサンルームにおいて、特に夏における日光を遮蔽するため、必要に応じて、屋根の上に開閉式の日除けスクリーンを取付ける。
【０００３】
このようなスクリーンは、特許文献１に記載のように、屋根上にスクリーンを巻くロールを有するスクリーンユニットを配置すると共に、屋根上に平行をなす一対のガイドレールを取付け、ガイドレールにスライドボトムの両端部に設けたローラを転動可能に装着してスライドボトムを移動可能に取付け、スクリーンの前端部をスライドボトムに結合する。
【０００４】
このような従来のスクリーンを巻くロールは、図９に示すように、ロール４０の外周の一部に長手方向にスクリーン７の取付け溝４０ａを形成し、この取付け溝４０ａに、スクリーン７の端部を巻いて固着した端部材３１を軸心方向に挿着してスクリーン７の端部をロール４０に取付けている。また、ロール４０の両端にはワイヤを巻く巻取りプーリ(図示せず)をリベットにより固定している。
【先行技術文献】
【特許文献】
【０００５】
【特許文献１】実公平８−８２３４号公報
【発明の概要】
【発明が解決しようとする課題】
【０００６】
スクリーンは、使用期間の経過により皺や色褪せが生じる等の理由によって、３〜５年経過後に新品に交換する場合がある。しかしながら、従来のロールは図９に示したように、長手方向に形成した溝４０ａにスクリーン７の端部材３１をロール４０の端面側から挿脱する構造を有する上、巻取りプーリがロール４０の両端にリベット付けされた構造を有するので、まず巻取りプーリをロール４０から外し、その後、端部材３１をロール４０を長手方向に抜く必要がある。
【０００７】
ところが、ロール４０の長さは長いもので３〜４ｍにも及ぶものもあるので、家屋の傍でこの端部材４１を抜くためにはその倍の広いスペースが必要となり、引き抜きが困難となる場合が多い。その上、巻取りプーリを固定しているリベットを外すには特殊の工具が必要となり、施工業者でも巻取りプーリを外せない場合も多い。
【０００８】
このような理由から、スクリーン７を新品に交換するため、従来はロール４０にスクリーン７を巻き、かつ巻取りプーリをロール４０に取付けたまま設置個所から取外し、輸送して工場に持ち込み、工場でスクリーン７を新品に交換してから再度現地まで輸送して巻取りプーリ付きロール（スクリーンユニット）を取付けている。このため、巻取りプーリに巻くワイヤの着脱を含めてスクリーンを交換するための工期、工費がかかるという問題点があった。
【０００９】
本発明は、上記問題点に鑑み、現地でのスクリーンの交換が可能となり、スクリーンの交換に要する工期、工費を格段に削減できる構造のスクリーンユニットを提供することを目的とする。
【課題を解決するための手段】
【００１０】
請求項１のスクリーンユニットは、サンルームまたはテラスの屋根上に設置され、スクリーンの一端部を取付けると共にスクリーンの他端側を巻取り繰り出し可能に巻いたロール、および前記ロールと同軸に前記ロールの両端に設けられ、前記ロールと一体に回転するワイヤ巻取りプーリを有するスクリーンユニットと、
前記屋根上の左右のガイドレールに沿って移動可能に装着されかつ前記スクリーンの前記他端側を結合するスライドボトムと、
前記ワイヤ巻取りプーリと前記スライドボトムとの間で前記スクリーンと巻取り繰り出し方向が逆となるように掛け回されるワイヤとを備えた日除け装置に用いられるスクリーンユニットにおいて、
前記スクリーンを巻く前記ロールを、ロール本体と、このロール本体の外周の一部に着脱可能に取付けるスクリーン取付け用アタッチメントとに分割し、
前記スライドボトムを前記ガイドレールに沿って前側に移動させて前記スライドボトムが最前端の位置にある時に前記スクリーンの前記一端部が露出した状態となり、かつ前記スクリーン取付け用アタッチメントが前記ロール本体の上面に位置するように構成した
ことを特徴とする。
【００１１】
請求項２に記載のスクリーンユニットは、請求項１に記載のスクリーンユニットにおいて、
前記スクリーンの前記一端部が露出した状態で、前記スクリーンに覆われない領域で前記スクリーン取付け用アタッチメントを前記ロール本体に固着部材により固着する構造を有する
ことを特徴とする。
【００１２】
請求項３に記載のスクリーンユニットは、請求項１または２に記載のスクリーンユニットにおいて、
前記ロール本体に嵌合片をさらに備え、前記スクリーン取付け用アタッチメントのスクリーン巻取り繰り出し方向の一端側を前記嵌合片に嵌合し、他端側を固着部材により前記ロール本体に固着する構造を有する
ことを特徴とする。
【００１３】
請求項４に記載のスクリーンユニットは、請求項１から３までのいずれか1項に記載のスクリーンユニットにおいて、
前記スクリーンの前記一端部に端部材が取付けられており、前記スクリーン取付け用アタッチメントに、前記端部材が抜け出ることを防止する抜け止め片をさらに備える
ことを特徴とする。
【００１４】
請求項５に記載のスクリーンユニットは、請求項４に記載のスクリーンユニットにおいて、
前記抜け止め片の外面は前記ロール本体の外周で描く円弧面の延長上にあり、前記スクリーンを案内する案内部を形成する
ことを特徴とする。
【発明の効果】
【００１５】
請求項１の発明によれば、スクリーンを巻くロールを、ロール本体と、スクリーン取付け用アタッチメントとに分割し、アタッチメントをロール本体に対して着脱可能としたので、スクリーンを新品に交換する場合、スクリーンをアタッチメントと共にロール本体から取外すことができる。このため、ロール本体を設置場所から取外すことなく、スクリーンの交換作業を現地にて行なえる。このため、スクリーン交換に要する工期、工費を従来より大幅に削減できる。
【００１６】
また、スライドボトムをガイドレール上の前側に移動させてスクリーンを開いた状態、すなわちスクリーンを繰り出した状態において、スクリーン取付け用アタッチメントがロール本体の上部に位置するように構成したので、スクリーン取付け用アタッチメントの着脱が容易となる。
【００１７】
請求項２の発明によれば、スクリーンの前記一端部が露出した状態で、前記スクリーンに覆われない領域で前記スクリーン取付け用アタッチメントを前記ロール本体に固着部材により固着する構造としたので、固着部材による作業箇所がスクリーンに覆われない箇所となり、スクリーン取付け用アタッチメントの着脱がさらに容易となる。
【００１８】
請求項３の発明によれば、ロール本体に嵌合片をさらに備え、前記スクリーン取付け用アタッチメントのスクリーン巻取り繰り出し方向の一端側を前記嵌合片に嵌合し、他端側を固着部材により前記ロール本体に固着する構造としたので、固着部材による作業箇所が減少し、スクリーン取付け用アタッチメントの着脱がさらに容易となる。
【００１９】
請求項４の発明によれば、スクリーンの前記一端部には端部材が取付けられており、前記スクリーン取付け用アタッチメントに、前記端部材が抜け出ることを防止する抜け止め片をさらに備えたものであり、スクリーン取付け用アタッチメントは従来のロールに比較してはるかに軽量に構成できるため、端部材とアタッチメントに対する結合がアタッチメントの端部材に対する長手方向のスライドにより容易に行なえる。
【００２０】
請求項５の発明によれば、抜け止め片の外面は前記ロール本体の外周で描く円弧面の延長上にあり、前記スクリーンを案内する案内部を形成したので、スクリーンをロールに対して円滑に巻くことができる。
【図面の簡単な説明】
【００２１】
【図１】本発明のスクリーンユニットを適用するサンルームの一例を示す斜視図である。
【図２】図１のサンルームの分解斜視図である。
【図３】図１のスクリーン付きサンルームの平面図である。
【図４】図１のスクリーンとワイヤの巻取り繰り出し構造を示す側面図である。
【図５】本発明のスクリーンユニットの一実施の形態を示す端面図である。
【図６】図５のスクリーンユニットのロールのスクリーン取付け構造を示す平面図である。
【図７】本実施の形態におけるスクリーンとスライドボトムとの結合構造を示す端面図である。
【図８】本発明のスクリーンユニットの他の実施の形態を示す端面図である。
【図９】従来のスクリーンユニットを示す端面図である。
【発明を実施するための形態】
【００２２】
図１は本発明のスクリーンユニットを適用するサンルームの一例を示す斜視図、図２はその分解斜視図である。また、図３は図１のスクリーン付きサンルームの平面図、図４はそのスクリーンとワイヤの巻取り繰り出し構造を示す側面図である。図１、図２において、サンルーム１は、家屋の躯体(図示せず)に付設され、支柱２で支持された垂木３や桁４に採光用の透明の屋根板５を載置すると共に、側面や前面に必要に応じてパネルや扉等(図示せず)を設けて構成される。
【００２３】
６はスクリーンユニットであり、このスクリーンユニット６は、スクリーン７を巻くロール８と、ロール８の両端にロール８と同軸に結合して取付けられ、ワイヤ９を巻く巻取りプーリ１０，１０と、ロール８に内蔵されたロール回転用モータ１１等により構成される。なお、ロール８を回転させる手段として、手動操作式のものを用いる場合もある。１２はロール８、巻取りプーリ１０等を覆うカバーである。１３，１４はロール８および巻取りプーリ１０からなる回転体を垂木３上に取付けるためのブラケットである。１５，１６はこれらのブラケット１３，１４に取付けられ、モータ１１および軸受１８（図３参照）を抑えてブラケット１３，１４にスクリーンユニット６を取付ける押え金具である。
【００２４】
２０，２０は垂木３上にブラケット２１により平行に取付けられた対をなすガイドレール、２２はこれらのガイドレール２０，２０に転動可能に係合させるガイドローラ２３を有してガイドレール２０，２０に移動可能に装着されるスライドボトムであり、このスライドボトム２２は後述の構造でスクリーン７の前端部を結合し、このスライドボトム２２の移動に伴い、図３の矢印Ｙ方向にスクリーン７が開閉されるものである。
【００２５】
巻取りプーリ１０とこれに巻かれるワイヤ９は、ロール８の正逆の回転力をスライドボトム２２に伝え、スクリーン７を開閉させるために設けられる。このため、各巻取りプーリ１０，１０に巻かれたワイヤ９，９は、図３、図４に示すように、ガイドレール２０，２０にそれぞれ取付けたガイドプーリ２７ａ，２７ａと、ガイドレール２０，２０の前端部にそれぞれ取付けるレールキャップ２８，２８に取付けたガイドプーリ２７ｂ，２７ｂと、スライドボトム２２の両端にそれぞれ設けたガイドプーリ２７ｃ，２７ｃに掛け回される。そして一方のワイヤ９の端部は、張力を付与するためにスライドボトム２２内に設けられた引っ張りスプリング２６の一端に接続し、他方のワイヤ９は、張力調整装置２９を介してスプリング２６の他端に接続される。
【００２６】
図４に示すように、スクリーン７とワイヤ９とは、それぞれロール８と巻取りプーリ１０に対して互いに逆向きとなるように巻かれており、これにより、スクリーン７が巻取られる（繰り出される）時にはワイヤ９は繰り出される（巻取られる）ように構成されている。また、スプリング２６によってワイヤ９やスクリーン７を張ることにより、強風時であってもスクリーン７があおられて屋根板５等に当接して損傷したり騒音を発生させたりすることを防ぐことができる。
【００２７】
図５は本発明によるロール８の一実施の形態を示す端面図、図６はその平面図である。図５、図６に示すように、ロール８は、ロール本体８ａと、このロール本体８ａにねじ（固着部材）３０により着脱可能に取付けられるスクリーン取付け用アタッチメント８ｂとからなる。これらのロール本体８ａやアタッチメント８ｂはいずれも押出形材からなる。アタッチメント８ｂは、スクリーン７の端部材３１を挿着する取付け溝３２を有する。スクリーン７の端部材３１は、スクリーン７を巻き付けて固着してなる板状部材からなるものである。取付け溝３２は、これから端部材３１が抜け出すことを防止するための抜け止め片３２ａを有する。抜け止め片３２ａの外面はロール本体８ａの外周で描く円弧面の延長上にあり、抜け止め片３２ａの一方は、端部材３１から繰り出されるスクリーン７を案内している。
【００２８】
図7に示すように、スクリーン７の前端の端部材３３も端部材３１と同様の構造でスクリーン７の前端に固着されており、この端部材３３はこの端部材３３を嵌合した押出形材からなる取付け部材３４を、同じく押出形材からなるスライドボトム２２に組み付けてねじ３５により着脱可能に取付ける。なお、図７において、３６はスライドボトム２２に形成したワイヤ９やスプリング２６等の収容溝２２ａを覆うカバーであり、このカバー３６はねじ３７によりスライドボトム２２に着脱可能に取付けられる。端部材３３をスライドボトム２２から取外す場合は、まずねじ３７を外してカバー３６を取外した後、ねじ３５を外すことによって、スライドボトム２２からこの端部材３３を取外す。
【００２９】
この構成において、スクリーン７を新品に交換する際には、まず、スクリーン７の前端の端部材３３を、前述の手順でスライドボトム２２から取外す。また、スクリーンユニット６のカバー１２を外し、ねじ３０を外すことによりアタッチメント８ｂをロール本体８ａから取外す。この場合、ロール８の上面の前方は、スクリーン７により覆われているので、このスクリーン７をたくし上げてその覆われていた部分にある前列のねじ３０を外す。
【００３０】
このように、アタッチメント８ｂと共にスクリーン７を外すことができるため、ロール本体８ａは巻取りプーリ１０と共にスクリーンユニット６として組んだまま残し、スライドボトム２２もガイドレール２０に装着したまま残して、広いスペースを必要とすることなく、スクリーン７のみを取外すことができる。このような作業は現地で行なうことが可能であり、交換用のスクリーン７を持参し、取付けも現地で行なえる。したがって、従来のようにスクリーンユニットを設置場所から取外して工場に輸送し、工場でスクリーンユニットを分解し、新品のスクリーンに交換して再びスクリーンユニットを組立ててから現地に輸送した後、再度現地でスクリーンユニットを元の設置場所に設置するという作業が不要となり、ワイヤ９のスライドボトム２２やガイドレール２０に対する着脱作業も不要となるので、新しいスクリーンへの交換に要する工期、工費が格段に削減できる。
【００３１】
また、この実施の形態のように、巻取りプーリ１０に巻くワイヤ９とロール８に巻くスクリーン７とを逆向きにしてスプリング２６によりスクリーン７に張りを持たせる構成とした場合、スプリング２６の張力によりスライドボトム２２が最前端の位置にある時、図５、図６に示すように、スクリーン７の一端部（後端部）が露出すると共に、アタッチメント８ｂがロール本体８ａの上面に位置する構成とすることにより、ねじ３０の着脱を上方から行なうことができ、アタッチメント８ｂおよびスクリーン７の着脱が容易となる。また、新しいスクリーン７の取付けもスクリーン７を外す前と同じ状態で行なうことができる。
【００３２】
また、本実施の形態は、端部材３１が抜け出ることを防止する抜け止め片３２ａを備えたものであり、アタッチメント８ｂは従来のロールに比較してはるかに軽量に構成できるため、端部材３１とアタッチメント８ｂに対する結合がアタッチメント８ｂの端部材３１に対する長手方向のスライドにより容易に行なえる。
【００３３】
また、本実施の形態は、抜け止め片３２ａの外面はロール本体８ａの外周で描く円弧面の延長上にあり、スクリーン７を案内する案内部を形成したので、スクリーン７をロール８に対して円滑に巻くことができる。
【００３４】
図８は本発明のロールの他の実施の形態を示す端面図であり、この実施の形態においては、アタッチメント８ｂがロール本体８ａの上面にあるときのロール本体８ａの上面の前部に、アタッチメント８ｂの前部をはめ込む嵌合片３８を形成し、ねじ３０によるアタッチメント８ｂのロール本体８ａへの固定は、スクリーン７より後部側のみで行なうようにしたものである。
【００３５】
図８のような構成にすれば、アタッチメント８ｂのロール本体８ａへのねじ３０による着脱は、スクリーン７で覆われていないロール本体８ａの上面後部のみについて行なえばよいので、さらにアタッチメント８ｂの着脱が容易となる。
【００３６】
以上本発明を実施の形態により説明したが、本発明を実施する場合、本発明の要旨を逸脱しない範囲において、ロール本体８ａとアタッチメント８ｂとの着脱構造や、スクリーンユニット６、ガイドレール２０、スライドボトム２２等の組み合わせ等について、種々の変更、付加が可能である。
【符号の説明】
【００３７】
１：サンルーム、２：支柱、３：垂木、４：桁、５：屋根板、６：スクリーンユニット、７：スクリーン、８：ロール、８ａ：ロール本体、８ｂ：アタッチメント、９：ワイヤ、１０：巻取りプーリ、１１：ロール回転用モータ、１２：カバー、１３，１４：ブラケット、２０：ガイドレール、２１：ブラケット、２２：スライドボトム、２６：スプリング、２７ａ〜２７ｃ：ガイドプーリ、３０：ねじ、３１：端部材、３２：取付け溝、３３：端部材、３４：取付け部材、３５：ねじ、３６：カバー、３７：ねじ、３８：嵌合片
【図１】
0005999954.tif 000002
【図２】
0005999954.tif 000003
【図３】
0005999954.tif 000004
【図４】
0005999954.tif 000005
【図５】
0005999954.tif 000006
【図６】
0005999954.tif 000007
【図７】
0005999954.tif 000008
【図８】
0005999954.tif 000009
【図９】
0005999954.tif 000010